(57)【特許請求の範囲】
【請求項１】
パネル部材に取付部材を取り付ける取付構造において、
前記パネル部材に係合するパネル係合部と前記取付部材に嵌合する嵌合部とを有する少なくとも１つのクリップを備え、
前記取付部材は、前記クリップと別体に構成されており、且つ前記クリップが嵌合する少なくとも１つのクリップ保持部を有し、
前記クリップの前記嵌合部は、前記パネル係合部に連設された基部と、前記基部に立設された柱部と、前記柱部によって支持された座部と、前記座部の上部に設けられた係止部と、前記座部の両端から下方に延びる鍔部と、前記鍔部と前記基部との連結部分に設けられた嵌合溝とを有し、
前記クリップ保持部は、前記クリップの前記嵌合溝に挿入される連結基部と、前記係止部と係合して前記クリップの前記クリップ保持部からの抜け出しを阻止する係合部と、前記柱部を受け入れる前記連結基部のスリットと、前記鍔部の連結基部上の位置を制限する連結基部リブとを有することを特徴とする取付構造。
【請求項２】
前記クリップのパネル係合部は、前記パネル部材に対してＺ軸方向に押し込むことによってパネル部材に取り付けられるように構成され、前記クリップの前記嵌合部は、前記取付部材の前記クリップ保持部に対して前記Ｚ軸方向に直交するＸ軸方向に挿入することによって前記取付部材の前記クリップ保持部に取り付けられるように構成されたことを特徴とする請求項１に記載の取付構造。
【請求項３】
前記クリップ保持部は、前記クリップの挿入時に前記座部に当接して挿入方向の更なる移動を阻止するストッパを有することを特徴とする請求項１又は２に記載の取付構造。
【請求項４】
前記クリップ保持部は、前記鍔部に当接して前記クリップの前記Ｘ軸方向および前記Ｚ軸方向に直交するＹ軸方向への移動を阻止する外側リブを有することを特徴とする請求項１〜３のいずれか１項に記載の取付構造。
【請求項５】
前記クリップ保持部と別のクリップ保持部を有し、前記別のクリップ保持部におけるクリップのパネル係合部は、前記パネル部材に対してＸ軸方向に押し込むことによって前記パネル部材に取り付けられるように構成され、前記別のクリップの嵌合部は、前記取付部材の前記別のクリップ保持部に対してＺ軸方向またはＹ軸方向に挿入することによって前記取付部材の前記別のクリップ保持部に取り付けられるように構成されたことを特徴とする請求項２に記載の取付構造。
【請求項６】
請求項２に記載の取付構造の製造方法であって、
前記取付部材は、前記クリップと別体に金型成形によって製造され、
前記取付部材の金型成形における金型の割り方向が前記Ｚ軸方向であることを特徴とする製造方法。
【請求項７】
請求項２に記載の取付構造の製造方法であって、
前記取付部材は、前記クリップと別体に金型成形によって製造され、
前記取付部材の金型成形における金型の割り方向が前記Ｘ軸方向であることを特徴とする製造方法。
【請求項８】
請求項２に記載の取付構造の製造方法であって、
前記取付部材は、前記クリップと別体に金型成形によって製造され、
前記取付部材の金型成形における金型の割り方向が前記Ｘ軸方向から前記Ｚ軸方向の任意の方向であることを特徴とする製造方法。
【発明の詳細な説明】
【技術分野】
【０００１】
本発明は、取付部材の取付構造に関し、特に、ハーネス用プロテクタ等の取付部材を自動車の車体のパネル部材に取り付ける取付構造に関する。
【背景技術】
【０００２】
従来の取付構造の例として、特許文献１は、車体パネルなどのパネル部材に係止される可撓性の係止部を有するクリップを介して、ハーネス用プロテクタ等の組付部材をパネル部材に取り付けるクリップ取付構造を開示している。この取付構造によれば、組付部材に、クリップの座部が取り付けられるクリップ保持部を設け、クリップ保持部に係止部を設け、この係止部がクリップの座部に設けられた係合部と係合してクリップを組付部材に取付けている。
【０００３】
また、特許文献２は、自動車の内張り部品をボディパネルに取付ける際に、樹脂クリップを内張り部品等の樹脂製部材のクリップ取付座に保持させるための取付構造を開示している。この取付構造によれば、クリップ取付座に設けた挿入口を有する保持孔に樹脂クリップの鍔付軸部をスライド方向に装着するようになっており、保持孔の挿入口の幅が実質的に保持孔の最大幅となるように設定すると共に、鍔付軸部の鍔にクリップ取付座に係合する抜止め用の係止爪を一体成形している。この樹脂製部材の成形は、上型、下型及びスライド型からなる成形型を用いて行われる。
【０００４】
また、特許文献３は、自動車のボディパネルに樹脂製の外装モールを取付ける取付構造を開示している。この取付構造によれば、パネルの係入孔に係着する係止脚を有するクリップ体を用いており、この外装モールの取付座に、クリップ体の基部を係入する横Ｕ字状の切欠穴を設け、その切欠き穴の開口側近傍にクリップ体のストッパー片の自由端を当接する突起を形成している。
【先行技術文献】
【特許文献】
【０００５】
【特許文献１】特開２００３−３４３５２６号公報
【特許文献２】実開昭６３−６２６１５号公報
【特許文献３】実開昭６２−３８７４３号公報
【発明の概要】
【発明が解決しようとする課題】
【０００６】
特許文献１の取付構造では、クリップを組付部材に取り付ける際、組付部材を撓ませて、挿入するため、挿入力をクリップ側だけでコントロールできない。クリップの挿入力が組付部材の材質に左右されるので安定した挿入力を提供できない。特許文献２の取付構造では、金型成形にスライド型を必要とするために、製造コストが高い。また、特許文献３の取付構造も特許文献２の取付構造と同じような外装モールの取付座に横Ｕ字状の切欠穴を設けており、特許文献２と同じようにスライド型を使用した成形方法によって製造されると考えられるため、引用文献２と同様な製造コストが高いという課題がある。これらの取付構造の他にクリップとハーネスプロテクタ等の取付部材を樹脂材料で一体成形する取付構造もあるが、このような取付構造では、クリップ部の金型成形にスライド型を用いる必要がある。特に、パネル部材への取付方向が異なる複数のクリップ部を成形する場合には、必ずスライド型が必要となるという課題がある。
【０００７】
本発明の目的は、ハーネスプロテクタ等の取付部材の材質に左右されずに、安定したクリップの挿入力及び保持力を有するとともに、スライド型を用いないで成形可能で且つ汎用性の高い取付構造を提供することである。
【課題を解決するための手段】
【０００８】
本発明によれば、パネル部材に取付部材を取り付ける取付構造において、前記パネル部材に係合するパネル係合部と前記取付部材に嵌合する嵌合部とを有する少なくとも１つのクリップを備え、前記取付部材は、前記クリップと別体に金型成形によって製造されるものであり、且つ前記クリップが嵌合する少なくとも１つのクリップ保持部を有し、前記クリップの前記嵌合部は、前記パネル係合部に連設された基部と、前記基部に立設された柱部と、前記柱部によって支持された座部と、前記座部の上部に設けられた係止部と、前記座部の両端から下方に延びる鍔部と、前記鍔部と前記基部との連結部分に設けられた嵌合溝とを有し、前記クリップ保持部は、前記クリップの前記嵌合溝に挿入される連結基部と、前記係止部と係合して前記クリップの前記クリップ保持部からの抜け出しを阻止する係合部と、前記柱部を受け入れる前記連結基部のスリットと、前記鍔部の連結基部上の位置を制限する連結基部リブとを有することを特徴とする取付構造が提供される。
【０００９】
本発明の１つの特徴によれば、前記クリップのパネル係合部は、前記パネル部材に対してＺ軸方向に押し込むことによってパネル部材に取り付けられるように構成され、前記クリップの前記嵌合部は、前記取付部材の前記クリップ保持部に対して前記Ｚ軸方向に直交するＸ軸方向に挿入することによって前記取付部材の前記取付保持部に取り付けられるように構成される。
【００１０】
本発明の別の特徴によれば、前記取付部材の金型成形における金型の割り方向が前記Ｚ軸方向である。
【００１１】
本発明の更に別の特徴によれば、前記取付部材の金型成形における金型の割り方向が前記Ｘ軸方向である。
【００１２】
本発明の更に別の特徴によれば、前記取付部材の金型成形における金型の割り方向が前記Ｘ軸方向から前記Ｚ軸方向の任意の方向である。
【００１３】
本発明の更に別の特徴によれば、前記クリップ保持部は、前記クリップの挿入時に前記座部に当接して挿入方向の更なる移動を阻止するストッパを有する。
【００１４】
本発明の更に別の特徴によれば、前記クリップ保持部は、前記鍔部に当接して前記クリップの前記Ｘ軸方向および前記Ｚ軸方向に直交するＹ軸方向への移動を阻止する外側リブを有する。
本発明の更に別の特徴によれば、前記クリップ保持部と別のクリップ保持部を有し、前記別のクリップ保持部におけるクリップのパネル係合部は、前記パネル部材に対してＸ軸方向に押し込むことによって前記パネル部材に取り付けられるように構成され、前記別のクリップの嵌合部は、前記取付部材の前記別のクリップ保持部に対してＺ軸方向またはＹ軸方向に挿入することによって前記取付部材の前記取付保持部に取り付けられるように構成される。
【発明の効果】
【００１５】
本発明の取付構造によれば、取付部材は、クリップと別体に金型成形によって製造されるので、取付部材の材質に左右されることなく、安定したクリップの挿入力及び保持力を得ることができる。また、取付部材の少なくとも１つのクリップ保持部は、クリップを挿入方向および連結基部の面における挿入方向に対して垂直方向に可動なように保持するようになっているので、取付部材の汎用性が向上し、取付部材単体でのコストを削減することができる。また、鍔部の連結基部上の位置を制限する連結基部リブとを有することにより、クリップが可動することでクリップがクリップ保持部から脱落することを防止できる。また、クリップに対して幾つかの取付部材の嵌合形状を提供できるので、クリップを介して取付部材の様々な方向への取付が可能となり、取付部材の設計自由度が向上する。また、取付部材、クリップおよび取り付け部分における公差を吸収することができる。また、本発明の取付構造によれば、取付部材をスライド型を必要とすることなく成形できる。
【図面の簡単な説明】
【００１６】
【図１】図１は、本発明の取付構造に使用するクリップの正面図である。
【図２】図２は、図１のクリップの平面図である。
【図３】図３は、図１のクリップの底面図である。
【図４】図４は、図１のクリップの右側面図である。
【図５】図５は、図１のクリップの背面図である。
【図６】図６は、図１のクリップの斜視図である。
【図７】図７は、クリップ保持部を有するハーネスプロテクタの一部を示す斜視図である。
【図８】図８は、図７のハーネスプロテクタの全体を示す斜視図である。
【図９】図９は、クリップ保持部の第１実施例の構造を示す正面図である。
【図１０】図１０は、図９のクリップ保持部の平面図である。
【図１１】図１１は、図９のクリップ保持部の全体を示す斜視図である。
【図１２】図１２は、図１１のクリップ保持部の下半分を示す斜視図である。
【図１３】図１３は、図９のクリップ保持部のクリップ嵌合前の状態を示す図である。
【図１４】図１４は、図９のクリップ保持部のクリップ嵌合後の状態を示す図である。
【図１５】図１５は、図１４の右側面図である。
【図１６】図１６は、図１５の嵌合状態のクリップ保持部においてクリップの位置ずれを吸収する機能を説明するため図であって、（ａ）は、クリップがクリップ保持部の中心に配置された状態を示し、（ｂ）は、クリップがクリップ保持部の中心からＹ方向に位置ずれした状態を示している。
【図１７】図１７は、クリップ保持部の第２実施例の構造を示す正面図である。
【図１８】図１８は、図１７のクリップ保持部の平面図である。
【図１９】図１９は、図１７のクリップ保持部のクリップ嵌合後の状態を示す図１４と同様な図である。
【図２０】図２０は、クリップ保持部の第３実施例の構造を示す正面図である。
【図２１】図２１は、図２０のクリップ保持部の平面図である。
【図２２】図２２は、図２０のクリップ保持部の全体を示す斜視図である。
【図２３】図２３は、図２２のクリップ保持部の下半分を示す斜視図である。
【図２４】図２４は、図２０のクリップ保持部のクリップ嵌合後の状態を示す図１５と同様な図である。
【図２５】図２５は、クリップ保持部の第４実施例の構造を示す正面図である。
【図２６】図２６は、図２５のクリップ保持部の平面図である。
【図２７】図２７は、図２５のクリップ保持部のクリップ嵌合後の状態を示す図１４と同様な図である。
【図２８】図２８は、図２７の右側面図である。
【図２９】図２９は、クリップ保持部の第５実施例の構造を示す正面図である。
【図３０】図３０は、図２９のクリップ保持部の平面図である。
【図３１】図３１は、クリップ保持部の第６実施例の構造を示す図１４と同様な図である。
【発明を実施するための形態】
【００１７】
以下、本発明の取付構造の実施形態を図面に基づいて説明する。図１〜図６は、本発明の取付構造で使用するクリップ１を示している。クリップ１は、ハーネスプロテクタ（図８参照）に嵌合する嵌合部２と、パネル部材（図示せず）に係合するパネル係合部３とで構成される。嵌合部２は、図６に示されるように、パネル係合部３上に連接された基部４と、基部４の中央部から立脚する柱部５と、柱部５によって支持される座部６とを有する。座部６の上部には、係止爪７が設けられ、座部６の両端の下面には、柱部５を挟んで下方に延びる鍔部８が設けられている。さらに、鍔部８と基部４との連結部分には嵌合溝１０が設けられている。
【００１８】
図７は、本発明の取付構造におけるハーネスプロテクタ２０（図８参照）のクリップ保持部１１を示しており、クリップ１は、図１３，１４に示すように、クリップ１の嵌合部２をクリップ保持部１１に挿入することによって、ハーネスプロテクタ２０（図８参照）に嵌合される。この挿入方向は、図６のＸ軸方向である。また、クリップ１のパネル係合部２をパネル部材（図示せず）に押し込む方向は、図６のＺ軸方向である。
【００１９】
クリップ保持部１１は、図７に示すように、底面を形成する連結基部１２と、連結基部１２に設けられたスリット１３と、連結基部１２の両端から立脚する横壁１４と、両端の横壁１４を接続する上壁１５と、上壁１５に設けられた係合部１６と、連結基部１２のスリット１３の縁部に設けられた連結基部リブ１７とを有している。連結基部１２と、横壁１４と、上壁１５とによってクリップ１を挿入するための開口１８が形成されている。
【００２０】
クリップ保持部１１には、クリップ１の挿入時に座部６に当接して挿入方向の更なる移動を阻止するストッパ１９も設けられている。係合部１６は、クリップ１の係止爪７と係合してクリップ１のクリップ保持部１１からの抜け出しを阻止するものである。また、スリット１３は、クリップ１の柱部５を受け入れてクリップ１の挿入方向に対して横方向の移動を規定するものである。また、連接基部１２は、挿入されたクリップ１の鍔部８を保持するものであり、連結基部リブ１７は、鍔部８の連結基部１２上における位置を規定するものである。
【００２１】
図８に示すように、ハーネスプロテクタ２０は、４つのクリップ保持部１１ａ〜１１ｄを有している。本発明の取付構造では、ハーネスプロテクタ２０の寸法誤差吸収、パネルに対する組付性向上のために、４つのクリップ保持部１１ａ〜１１ｄのうち、例えば、クリップ保持部１１ｂのみをクリップ１を固定保持する固定保持部で構成し、他のクリップ保持部１１ａ、１１ｃ、１１ｄを、クリップ１を可動保持する可動保持部で構成することができる。
【００２２】
クリップ保持部１１ａ〜１１ｃは、いずれもクリップ１をＸ軸方向に挿入して嵌合するタイプのものであり、嵌合したクリップ１のパネル係合部３はＺ軸方向に突出する。具体的には、下記第１実施例のクリップ保持部を用いることができる。他方、クリップ保持部１１ｄは、Ｙ軸方向に挿入して嵌合するタイプのものであり、嵌合したクリップ１のパネル係合部３はＸ軸方向に突出する。具体的には、第４実施例のクリップ保持部を用いることができる。これにより、このハーネスプロテクタ２０は、Ｘ方向の型割りで成形されており、クリップ保持部１１ａ〜１１ｄはスライド型を使用しないで成形することもできる構造になっている。また、可動保持部（クリップ保持部１１ａ、１１ｃ、１１ｄ）の可動方向は、クリップ１の挿入方向とその方向に対して横方向とのいずれか（例えば、クリップ保持部１１ａ、１１ｃについては、Ｘ軸方向又はＹ軸方向、クリップ保持部１１ｄについては、Ｙ軸方向又はＺ軸方向）であり、この可動保持部の構造は、金型成形の型割り方向と可動の方向との組み合わせによって、５つの構造がある。以下その構造を実施例１〜５として説明する。また、型割り方向をＸ軸方向、Ｚ軸方向のみでなく、Ｘ軸からＺ軸の間の任意の角度にすることもでき、それを実施例６として説明する。
【００２３】
図９〜図１６は、実施例１によるクリップ保持部を示している。このクリップ保持部は、Ｘ軸方向（すなわちクリップ１の挿入方向）の型割り方向で成形されて、クリップ１がＹ軸方向（すなわちクリップ１の挿入方向に対して横方向）に可動となるような構造を有している。このクリップ保持部は、図１３の両矢印ａで示すように、Ｘ軸方向に型割りされる２面型のみで成形可能となっている。この実施例１のクリップ保持部は、上述したように、連結基部１２、スリット１３、係合部１６、連結基部リブ１７、ストッパ１９等を有している。クリップ１は、このクリップ保持部に、Ｘ軸方向（図１３の右から左方向）に挿入され、クリップ１の嵌合部２が、このクリップ保持部のストッパ１９に当接し、クリップ１の係止爪７がこのクリップ保持部の係合部に係合して、クリップ保持部に保持される。また、このクリップ保持部は、後述する実施例３による固定保持部タイプのものに比べてスリット１３の横幅（すなわちＹ軸方向の幅）が広くなっている。これによって、図１６の（ｂ）の両矢印ｂで示すようなクリップ１のＹ軸方向の位置ずれを吸収できるようになっている。また、このクリップ保持部は、後述する実施例３による固定保持部タイプのものに比べて、連結基部リブ１７がスリット１３の縁部だけに設けられており、その外側には外側リブ１７ａが設けられていない。これは、クリップ１の鍔部８が連結基部１２上をＹ軸方向へ滑らかに移動できるようにするためである。また、クリップ1の基部４と鍔部８は、協働して連結基部１２を挾持して、Ｘ方向の移動を規制し、クリップ１の姿勢を安定させている。
【００２４】
図１７〜図１９は、実施例２によるクリップ保持部を示している。このクリップ保持部は、Ｘ軸方向（すなわちクリップ１の挿入方向）の型割り方向で成形されて、クリップ１がＸ軸方向（すなわちクリップ１の挿入方向）に可動となるような構造を有している。このクリップ保持部は、連結基部１２、スリット１３、係合部１６、連結基部リブ１７、外側リブ１７ａ，ストッパ１９等を有している。このクリップ保持部では、連結基部１２とストッパ１９が、後述する実施例３による固定保持部タイプのものに比べて、図１９の左方向（図１８の上方向）へずらし設けられ、クリップ１のＸ軸方向への移動を許容するようになっている。これによって、図１９の両矢印ｃで示すようなクリップ１のＸ軸方向の位置ずれを吸収できるようになっている。その他の構造は、後述する実施例３による固定保持部タイプのものと同様である。
【００２５】
図２０〜図２４は、実施例３によるクリップ保持部を示している。このクリップ保持部は、Ｘ軸方向（すなわちクリップ１の挿入方向）の型割り方向で成形されて、クリップ１が固定保持されるような構造を有している。このクリップ保持部は、連結基部１２、スリット１３、係合部１６、連結基部リブ１７、外側リブ１７ａ，ストッパ１９等を有し、クリップ１のＸ軸方向（すなわちクリップ１の挿入方向）及びＹ軸方向（すなわち挿入方向に対して横方向）の移動を規制するために、ストッパ１９の位置、外側リブ１７ａの位置、クリップ保持部の横壁１４の間隔、スリット１３の幅を調整している。すなわち、Ｙ軸方向の移動を規制するために、スリット１３の横幅をクリップ１の柱部５の横幅と同じになるようにし、２つの外側リブ１７ａの間隔をクリップ１の鍔部８の内側面の間隔と同じになるようにし、クリップ保持部の横壁１４の内側面の間隔をクリップ１の鍔部８の外側面の間隔と同じになるようにしている。また、Ｙ軸方向の移動を規制するために、ストッパ１９の位置を、クリップ１の係止爪７がクリップ保持部の係合部１６に係合したときにストッパ１９がクリップ１の先端に当接するような位置にしている。
【００２６】
図２５〜図２８は、実施例４によるクリップ保持部を示している。このクリップ保持部は、Ｚ軸方向（すなわちクリップ１をパネル部材への押し込む方向）の型割り方向で成形されて、クリップ１がＹ軸方向（すなわちクリップ１の挿入方向に対して横方向）に可動となるような構造を有している。このクリップ保持部は、実施例１のクリップ保持部と異なり、Ｚ軸方向に型抜けできるように、その構造の一部が実施例１の構造と異なっている。しかしながら、スリット１３の横幅が広くなっている点、連結基部リブ１７がスリット１３の縁部だけに設けられて、外側リブ１７ａが設けられていない点は、実施例１の構造と同じである。なお、このクリップ保持部は、クリップ１がＹ軸方向（すなわちクリップ１の挿入方向に対して横方向）に可動となるような構造であるが、これをクリップ挿入口をＹ軸方向へ向けることによって、クリップ１がＸ軸方向（すなわちクリップ１の挿入方向に対して横方向）に可動な構造をもつクリップ保持部として使用できる。すなわち、実施例４によるクリップ保持部は、クリップ１をＸ軸方向、又は、Ｙ軸方向、又は、Ｘ軸Ｙ軸の間のいずれかの方向に可動となるような構造を有している。
【００２７】
図２９〜図３０は、実施例５によるクリップ保持部を示している。このクリップ保持部は、Ｚ軸方向（すなわちクリップ１をパネル部材へ押し込む方向）の型割り方向で成形されて、クリップ１が固定保持されるような構造を有している。このクリップ保持部は、Ｚ軸方向に型抜けできるように、実施例４と同様な構造となっているが、固定保持部タイプのものなので、スリット１３の横幅が狭い点や、外側リブ１７ａがある点で実施例４と異なっている。このクリップ保持部は、固定保持部タイプなので、実施例３の構造と同様に、クリップ１のＸ軸方向及びＹ軸方向の移動を規制するための構造を有している。
【００２８】
図３１は、実施例６によるクリップ保持部を示している。このクリップ保持部は、Ｘ軸方向からＺ軸方向の間の任意の角度（すなわちクリップ１の挿入方向からクリップ１をパネルに部材に押し込む方向の間の任意の角度）の型割り方向で成形されて、クリップ１が固定保持されるような構造を有している。このクリップ保持部は、Ｘ軸方向からＺ軸方向の間の任意の角度に型抜けできるように、実施例４と同様な構造となっているが、ストッパ１９の代わりに、クリップ１の嵌合溝１０が、このクリップ保持部の連結基部１２に当接してクリップ１のＸ軸方向の移動を規制している。図３１の両矢印ｄは、型割り方向を示す。このクリップ保持部も、実施例１から実施例３の構成を有することにより、クリップ１のＸ軸方向、Ｙ軸方向の移動の許容および規制を行うことができる。
【００２９】
以上、本発明の取付構造を、取付部材としてハーネスプロテクタを使用した実施形態について説明したが、取付部材として内装トリムやカバー類などの大物樹脂部品等を使用することも可能である。
【符号の説明】
【００３０】
１  クリップ
２  嵌合部
３  パネル係合部
４  基部
５  柱部
６  座部
７  係止爪（係止部）
８  鍔部
１０  嵌合溝
１１  クリップ保持部
１２  連結基部
１３  スリット
１４  横壁
１５  上壁
１６  係合部
１７  連結基部リブ
１７ａ  外側リブ
１８  開口
１９  ストッパ
２０  ハーネスプロテクタ
ａ、ｂ、ｃ、ｄ  両矢印
【図１】
0005888615.tif 000002
【図２】
0005888615.tif 000003
【図３】
0005888615.tif 000004
【図４】
0005888615.tif 000005
【図５】
0005888615.tif 000006
【図６】
0005888615.tif 000007
【図７】
0005888615.tif 000008
【図８】
0005888615.tif 000009
【図９】
0005888615.tif 000010
【図１０】
0005888615.tif 000011
【図１１】
0005888615.tif 000012
【図１２】
0005888615.tif 000013
【図１３】
0005888615.tif 000014
【図１４】
0005888615.tif 000015
【図１５】
0005888615.tif 000016
【図１６】
0005888615.tif 000017
【図１７】
0005888615.tif 000018
【図１８】
0005888615.tif 000019
【図１９】
0005888615.tif 000020
【図２０】
0005888615.tif 000021
【図２１】
0005888615.tif 000022
【図２２】
0005888615.tif 000023
【図２３】
0005888615.tif 000024
【図２４】
0005888615.tif 000025
【図２５】
0005888615.tif 000026
【図２６】
0005888615.tif 000027
【図２７】
0005888615.tif 000028
【図２８】
0005888615.tif 000029
【図２９】
0005888615.tif 000030
【図３０】
0005888615.tif 000031
【図３１】
0005888615.tif 000032